(57)【要約】【課題】安全に簡便な画像やコメントの追加が可能である。【解決手段】ホームページに掲載する画像の閲覧方法であって、ホームページ管理者はネットワーク上のサーバへ閲覧用画像をアップロードして、ホームページを閲覧するＵＲＬ以外のサイトに写真アルバムを作成すると共に、前記写真アルバムの閲覧許可者の個人情報を登録し、前記閲覧許可者の個人情報を登録する際に、画像の追加及び／またはコメントの追加の可否を指定する。【選択図】図１１
2004318550.tif 000002
【特許請求の範囲】
【請求項１】
ホームページに掲載する画像の閲覧方法であって、
ホームページ管理者はネットワーク上のサーバへ閲覧用画像をアップロードして、
ホームページを閲覧するＵＲＬ以外のサイトに写真アルバムを作成すると共に、前記写真アルバムの閲覧許可者の個人情報を登録し、
前記閲覧許可者の個人情報を登録する際に、画像の追加及び／またはコメントの追加の可否を指定することを特徴とするホームページの閲覧方法。
【請求項２】
前記ホームページから写真アルバムのサイトへのリンクが置かれていることを特徴とする請求項１に記載のホームページの閲覧方法。
【請求項３】
前記閲覧許可者は、画像の追加及び／またはコメントの追加を前記ホームページ管理者に通知することを特徴とする請求項１または請求項２に記載のホームページの閲覧方法。
【請求項４】
前記ホームページ管理者は、追加の画像及び／またはコメントの編集が可能であることを特徴とする請求項１乃至請求項３のいずれか１項に記載のホームページの閲覧方法。
【請求項５】
前記編集は、画像の撮影年月日順、または撮影者別順、また自由に並び変えることであることを特徴とする請求項４に記載のホームページの閲覧方法。
【請求項６】
前記ホームページ管理者は、追加の画像及び／またはコメントの識別表示を行なうことを特徴とする請求項１乃至請求項５のいずれか１項に記載のホームページの閲覧方法。
【請求項７】
前記ホームページ管理者は、追加の画像及び／または追加のコメントの閲覧を不能にすることを特徴とする請求項１乃至請求項６のいずれか１項に記載のホームページの閲覧方法。
【請求項８】
前記ホームページ管理者は、画像及び／またはコメントの追加を他の閲覧許可者に通知することを特徴とする請求項１乃至請求項７のいずれか１項に記載のホームページの閲覧方法。
【請求項９】
前記他の閲覧許可者への通知は、ｅ−メールで行なうことを特徴とする請求項８に記載のホームページの閲覧方法。
【請求項１０】
前記ｅ−メールには、追加の画像紹介のコメントを付けることを特徴とする請求項９に記載のホームページの閲覧方法。
【請求項１１】
前記ｅ−メールには、追加の画像へのリンクを含ませることを特徴とする請求項９に記載のホームページの閲覧方法。
【請求項１２】
前記ホームページ管理者は、追加の画像及び／またはコメントの閲覧不能を、追加した閲覧許可者に通知することを特徴とする請求項１乃至請求項８のいずれか１項に記載のホームページの閲覧方法。
【請求項１３】
請求項１乃至請求項１２のいずれか１項に記載のホームページの閲覧方法を利用して写真アルバムに掲載された画像のプリント注文方法であって、
写真アルバムの閲覧許可者は所望の画像を指定するだけで注文が許可されることを特徴とするプリント注文方法。
【請求項１４】
閲覧許可者の個人情報を登録する際に、プリントの可否を指定することを特徴とする請求項１３に記載のプリント注文方法。
【請求項１５】
前記ホームページ管理者は、写真アルバムの所定の画像をプリント不能にすることを特徴とする請求項１３または請求項１４に記載のプリント注文方法。
【請求項１６】
前記ホームページ管理者は、所定の画像のプリント不能を、閲覧許可者に通知することを特徴とする請求項１５に記載のプリント注文方法。
【請求項１７】
ネットワークと、
前記ネットワークに接続され、ホームページに掲載する写真アルバムの閲覧用画像を有するサーバと、
前記ネットワークに接続され、前記ネットワーク上のサーバへ閲覧用画像をアップロードして、ホームページを閲覧するＵＲＬ以外のサイトに写真アルバムを作成すると共に、前記写真アルバムの閲覧許可者の個人情報を登録し、画像の追加及び／またはコメントの追加の可否を指定するユーザ端末とを有することを特徴とするホームページの閲覧システム。
【請求項１８】
前記ホームページから写真アルバムのサイトへのリンクが置かれていることを特徴とする請求項１７に記載のホームページの閲覧システム。
【請求項１９】
前記ユーザ端末では、画像の追加及び／またはコメントの追加を前記ホームページ管理者に通知することを特徴とする請求項１７または請求項１８に記載のホームページの閲覧システム。
【請求項２０】
前記ホームページ管理者は、追加の画像及び／またはコメントの編集が可能であることを特徴とする請求項１７乃至請求項１９のいずれか１項に記載のホームページの閲覧システム。
【請求項２１】
前記編集は、画像の撮影年月日順、または撮影者別順、また自由に並び変えることであることを特徴とする請求項２０に記載のホームページの閲覧システム。
【請求項２２】
前記ホームページ管理者は、追加の画像及び／またはコメントの識別表示を行なうことを特徴とする請求項１７乃至請求項２１のいずれか１項に記載のホームページの閲覧システム。
【請求項２３】
前記ホームページ管理者は、追加の画像及び／または追加のコメントの閲覧を不能にすることを特徴とする請求項１７乃至請求項２２のいずれか１項に記載のホームページの閲覧システム。
【請求項２４】
前記ホームページ管理者は、画像及び／またはコメントの追加を他の閲覧許可者に通知することを特徴とする請求項１７乃至請求項２３のいずれか１項に記載のホームページの閲覧システム。
【請求項２５】
前記他の閲覧許可者への通知は、ｅ−メールで行なうことを特徴とする請求項２４に記載のホームページの閲覧システム。
【請求項２６】
前記ｅ−メールには、追加の画像紹介のコメントを付けることを特徴とする請求項２４に記載のホームページの閲覧システム。
【請求項２７】
前記ｅ−メールには、追加の画像へのリンクを含ませることを特徴とする請求項２４に記載のホームページの閲覧システム。
【請求項２８】
前記ホームページ管理者は、追加の画像及び／またはコメントの閲覧不能を、追加した閲覧許可者に通知することを特徴とする請求項１７乃至請求項２４のいずれか１項に記載のホームページの閲覧システム。
【請求項２９】
請求項１７乃至請求項２８のいずれか１項に記載のホームページの閲覧システムを利用して写真アルバムに掲載された画像のプリント注文システムであって、
写真アルバムの閲覧許可者は所望の画像を指定するだけで注文が許可されることを特徴とするプリント注文システム。
【請求項３０】
閲覧許可者の個人情報を登録する際に、プリントの可否を指定することを特徴とする請求項２９に記載のプリント注文システム。
【請求項３１】
前記ホームページ管理者は、写真アルバムの所定の画像をプリント不能にすることを特徴とする請求項２９または請求項３０に記載のプリント注文システム。
【請求項３２】
前記ホームページ管理者は、所定の画像のプリント不能を、閲覧許可者に通知することを特徴とする請求項３１に記載のプリント注文システム。
【発明の詳細な説明】
【０００１】
【発明の属する技術分野】
この発明は、安全に簡便な画像やコメントの追加が可能なホームページの閲覧方法及びシステムと、画像の簡単なプリント注文方法及びシステムに関し、さらに詳しくはホームページに掲載する画像やコメントの追加はホームページ管理者によって許可された者のみが可能な方法及びシステムであり、許可された者は所望の画像を簡単に注文できるプリント注文方法及びシステムに関する。
【０００２】
【従来の技術】
ブロードバンド接続が普及することによって、インターネットが益々身近になってきた。常時接続が一般化し、あらゆる情報のやり取りにインターネットが利用されるようになり、大なり小なりさまざまなホームページが作成され、多くのユーザに閲覧されている。ホームページには、企業や公共団体などが作成したもの以外にも、個人や愛好家団体が作成・管理しているものが多数存在している。
【０００３】
これらのホームページに共通して言えることが、内容を面白く、また閲覧する人に興味を持ってもらうために、デザインやレイアウトに凝る以外にも、文字の羅列だけでなく多くのコンテンツを含んでいる。コンテンツの中で最も一般的なのが、写真画像である。特に地域のスポーツクラブや幼稚園・保育園などで管理されているホームページでは、対外試合や合宿や行事などでの子供の写真を掲載していることが多く、特に写真アルバムのページと称して写真画像を主なコンテンツとして、作られているものも少なくない。
【０００４】
このような画像を含んでいるホームページを作成するには、タグを利用してページを作成できるＨＴＭＬを利用したプログラミングや、市販のホームページ作成用ソフトウェアを利用することが良く知られている。
【０００５】
さらに、ネットワーク上にあるサーバに写真画像をアップロードして画像を指定して写真アルバムを作成して、写真アルバムのＵＲＬ（Ｕｎｉｆｏｒｍ  Ｒｅｓｏｕｒｃｅ  Ｌｏｃａｔｏｒ）とパスワードを用いて、仲間で楽しむという技術が開示されている（例えば特許文献１）。
【０００６】
【特許文献１】
特開平１１−２０３３５９号公報（第１〜第１０、図１〜図９）
【０００７】
【発明が解決しようとする課題】
ところで、従来の写真アルバムはプリントした写真を台紙に貼り付けるだけなので、他の人が撮影した画像を集めて一つの写真アルバムにすることが容易にできるが、デジタル画像をネットワーク上に公開する場合に複数の人が撮影した画像を同じネットワーク上の写真アルバムに掲載するには、撮影した人が写真アルバムを作る人にデジタル画像をなんらかの方法で送り、しかも写真アルバムを作る人がネットワーク上にアップロードする必要があり手間がかかっていた。
【０００８】
例えば、ホームページを閲覧するＵＲＬ以外のサイトに写真アルバムに他の人が画像を追加することができれば、複数の人が撮影した画像を容易に写真アルバム化することができる。
【０００９】
この発明は、かかる点に鑑みてなされたもので、安全に簡便な画像やコメントの追加が可能なホームページの閲覧方法及びシステムと、画像の簡単なプリント注文方法及びシステムを提供することを目的としている。
【００１０】
【課題を解決するための手段】
前記課題を解決し、かつ目的を達成するように、この発明は、以下のように構成した。
【００１１】
請求項１に記載の発明は、ホームページに掲載する画像の閲覧方法であって、
ホームページ管理者はネットワーク上のサーバへ閲覧用画像をアップロードして、
ホームページを閲覧するＵＲＬ以外のサイトに写真アルバムを作成すると共に、前記写真アルバムの閲覧許可者の個人情報を登録し、
前記閲覧許可者の個人情報を登録する際に、画像の追加及び／またはコメントの追加の可否を指定することを特徴とするホームページの閲覧方法である。
【００１２】
この請求項１に記載の発明によれば、ホームページ管理者が写真アルバムを作成し、写真アルバムの閲覧許可者の個人情報を登録することで、ホームページに掲載する写真画像はホームページ管理者によって許可された者のみが閲覧でき、安全に簡便な画像付きのホームページの閲覧ができ、しかも画像の追加及び／またはコメントの追加の可否を指定することで、写真アルバムに他の人が画像を追加して多くの写真を集めて掲載することができ、複数の人が撮影した画像を容易に写真アルバム化することができる。
【００１３】
請求項２に記載の発明は、前記ホームページから写真アルバムのサイトへのリンクが置かれていることを特徴とする請求項１に記載のホームページの閲覧方法である。
【００１４】
この請求項２に記載の発明によれば、リンクボタン及びリンクのＵＲＬは写真アルバムサイトからのダウンロ−ド、またはメ−ル添付書類などでホームページ管理者が入手できることが望ましく、ホームページ管理者が、自分のホームページ以外に、写真アルバムのサイトを利用していて、自分のホームページから写真アルバムのサイトへのリンクができる。
【００１５】
請求項３に記載の発明は、前記閲覧許可者は、画像の追加及び／またはコメントの追加を前記ホームページ管理者に通知することを特徴とする請求項１または請求項２に記載のホームページの閲覧方法である。
【００１６】
この請求項３に記載の発明によれば、閲覧許可者は、画像の追加及び／またはコメントの追加をホームページ管理者に通知することで、ホームページ管理者が追加した画像やコメントの管理が容易となる。
【００１７】
請求項４に記載の発明は、前記ホームページ管理者は、追加の画像及び／またはコメントの編集が可能であることを特徴とする請求項１乃至請求項３のいずれか１項に記載のホームページの閲覧方法である。
【００１８】
この請求項４に記載の発明によれば、追加の画像及び／またはコメントの編集が可能であり、ホームページ管理者が自由に、削除したり、位置を変えたり、サイズを変えたり等して写真アルバムを作成することができる。
【００１９】
請求項５に記載の発明は、前記編集は、画像の撮影年月日順、または撮影者別順、また自由に並び変えることであることを特徴とする請求項４に記載のホームページの閲覧方法である。
【００２０】
この請求項５に記載の発明によれば、画像の撮影年月日順、または撮影者別順、また自由に並び変えることで、好みに応じた写真アルバムを作成することができる。
【００２１】
請求項６に記載の発明は、前記ホームページ管理者は、追加の画像及び／またはコメントの識別表示を行なうことを特徴とする請求項１乃至請求項５のいずれか１項に記載のホームページの閲覧方法である。
【００２２】
この請求項６に記載の発明によれば、追加の画像及び／またはコメントの識別表示を行なうことで、追加した画像及び／またはコメントであることを容易に知らせることができる。
【００２３】
請求項７に記載の発明は、前記ホームページ管理者は、追加の画像及び／または追加のコメントの閲覧を不能にすることを特徴とする請求項１乃至請求項６のいずれか１項に記載のホームページの閲覧方法である。
【００２４】
この請求項７に記載の発明によれば、好ましくない等の理由がある追加の画像及び／またはコメントは、閲覧不能にすることができる。
【００２５】
請求項８に記載の発明は、前記ホームページ管理者は、画像及び／またはコメントの追加を他の閲覧許可者に通知することを特徴とする請求項１乃至請求項７のいずれか１項に記載のホームページの閲覧方法である。
【００２６】
この請求項８に記載の発明によれば、画像及び／またはコメントの追加を他の閲覧許可者に通知することで、より閲覧許可者へのサービスが向上する。
【００２７】
請求項９に記載の発明は、前記他の閲覧許可者への通知は、ｅ−メールで行なうことを特徴とする請求項８に記載のホームページの閲覧方法である。
【００２８】
この請求項９に記載の発明によれば、他の閲覧許可者への通知は、ｅ−メールで簡単かつ確実に行なうことができる。
【００２９】
請求項１０に記載の発明は、前記ｅ−メールには、追加の画像紹介のコメントを付けることを特徴とする請求項９に記載のホームページの閲覧方法である。
【００３０】
この請求項１０に記載の発明によれば、ｅ−メールに追加の画像紹介のコメントを付けることで、追加の画像を多くの人に知らせることができる。
【００３１】
請求項１１に記載の発明は、前記ｅ−メールには、追加の画像へのリンクを含ませることを特徴とする請求項９に記載のホームページの閲覧方法である。
【００３２】
この請求項１１に記載の発明によれば、ｅ−メールに追加の画像へのリンクを含ませることで、追加の画像を多くの人に簡単に知らせることができる。
【００３３】
請求項１２に記載の発明は、前記ホームページ管理者は、追加の画像及び／またはコメントの閲覧不能を、追加した閲覧許可者に通知することを特徴とする請求項１乃至請求項８のいずれか１項に記載のホームページの閲覧方法である。
【００３４】
この請求項１２に記載の発明によれば、追加の画像及び／またはコメントの閲覧不能を、追加した閲覧許可者に通知することで、よりサービスが向上する。
【００３５】
請求項１３に記載の発明は、請求項１乃至請求項１２のいずれか１項に記載のホームページの閲覧方法を利用して写真アルバムに掲載された画像のプリント注文方法であって、
写真アルバムの閲覧許可者は所望の画像を指定するだけで注文が許可されることを特徴とするプリント注文方法である。
【００３６】
この請求項１３に記載の発明によれば、写真アルバムの閲覧許可者は所望の画像を指定するだけで所望の画像を簡単に注文できる。
【００３７】
請求項１４に記載の発明は、閲覧許可者の個人情報を登録する際に、プリントの可否を指定することを特徴とする請求項１３に記載のプリント注文方法である。
【００３８】
この請求項１４に記載の発明によれば、プリントして欲しくない等の理由がある閲覧許可者は、画像をプリント不能にすることができる。
【００３９】
請求項１５に記載の発明は、前記ホームページ管理者は、写真アルバムの所定の画像をプリント不能にすることを特徴とする請求項１３または請求項１４に記載のプリント注文方法である。
【００４０】
この請求項１５に記載の発明によれば、ホームページ管理者は、プリントして欲しくない等の理由がある所定の画像をプリント不能にすることができる。
【００４１】
請求項１６に記載の発明は、前記ホームページ管理者は、所定の画像のプリント不能を、閲覧許可者に通知することを特徴とする請求項１５に記載のプリント注文方法である。
【００４２】
この請求項１６に記載の発明によれば、所定の画像のプリント不能を、閲覧許可者に通知することで、より閲覧許可者へのサービスが向上する。
【００４３】
請求項１７に記載の発明は、ネットワークと、
前記ネットワークに接続され、ホームページに掲載する写真アルバムの閲覧用画像を有するサーバと、
前記ネットワークに接続され、前記ネットワーク上のサーバへ閲覧用画像をアップロードして、ホームページを閲覧するＵＲＬ以外のサイトに写真アルバムを作成すると共に、前記写真アルバムの閲覧許可者の個人情報を登録し、画像の追加及び／またはコメントの追加の可否を指定するユーザ端末とを有することを特徴とするホームページの閲覧システムである。
【００４４】
この請求項１６に記載の発明によれば、ホームページ管理者が写真アルバムを作成し、写真アルバムの閲覧許可者の個人情報を登録することで、ホームページに掲載する写真画像はホームページ管理者によって許可された者のみが閲覧でき、安全に簡便な画像付きのホームページの閲覧ができ、しかも画像の追加及び／またはコメントの追加の可否を指定することで、写真アルバムに他の人が画像を追加して多くの写真を集めて掲載することができ、複数の人が撮影した画像を容易に写真アルバム化することができる。
【００４５】
請求項１８に記載の発明は、前記ホームページから写真アルバムのサイトへのリンクが置かれていることを特徴とする請求項１７に記載のホームページの閲覧システムである。
【００４６】
この請求項１８に記載の発明によれば、リンクボタン及びリンクのＵＲＬは写真アルバムサイトからのダウンロ−ド、またはメ−ル添付書類などでホームページ管理者が入手できることが望ましく、ホームページ管理者が、自分のホームページ以外に、写真アルバムのサイトを利用していて、自分のホームページから写真アルバムのサイトへのリンクができる。
【００４７】
請求項１９に記載の発明は、前記ユーザ端末では、画像の追加及び／またはコメントの追加を前記ホームページ管理者に通知することを特徴とする請求項１７または請求項１８に記載のホームページの閲覧システムである。
【００４８】
この請求項１９に記載の発明によれば、閲覧許可者は、画像の追加及び／またはコメントの追加をホームページ管理者に通知することで、ホームページ管理者が追加した画像やコメントの管理が容易となる。
【００４９】
請求項２０に記載の発明は、前記ホームページ管理者は、追加の画像及び／またはコメントの編集が可能であることを特徴とする請求項１７乃至請求項１９のいずれか１項に記載のホームページの閲覧システムである。
【００５０】
この請求項２０に記載の発明によれば、追加の画像及び／またはコメントの編集が可能であり、ホームページ管理者が自由に、削除したり、位置を変えたり、サイズを変えたり等して写真アルバムを作成することができる。
【００５１】
請求項２１に記載の発明は、前記編集は、画像の撮影年月日順、または撮影者別順、また自由に並び変えることであることを特徴とする請求項２０に記載のホームページの閲覧システムである。
【００５２】
この請求項２１に記載の発明によれば、画像の撮影年月日順、または撮影者別順、また自由に並び変えることで、好みに応じた写真アルバムを作成することができる。
【００５３】
請求項２２に記載の発明は、前記ホームページ管理者は、追加の画像及び／またはコメントの識別表示を行なうことを特徴とする請求項１７乃至請求項２１のいずれか１項に記載のホームページの閲覧システムである。
【００５４】
この請求項２２に記載の発明によれば、追加の画像及び／またはコメントの識別表示を行なうことで、追加した画像及び／またはコメントであることを容易に知らせることができる。
【００５５】
請求項２３に記載の発明は、前記ホームページ管理者は、追加の画像及び／または追加のコメントの閲覧を不能にすることを特徴とする請求項１７乃至請求項２２のいずれか１項に記載のホームページの閲覧システムである。
【００５６】
この請求項２３に記載の発明によれば、好ましくない等の理由がある追加の画像及び／またはコメントは、閲覧不能にすることができる。
【００５７】
請求項２４に記載の発明は、前記ホームページ管理者は、画像及び／またはコメントの追加を他の閲覧許可者に通知することを特徴とする請求項１７乃至請求項２３のいずれか１項に記載のホームページの閲覧システムである。
【００５８】
この請求項２４に記載の発明によれば、画像及び／またはコメントの追加を他の閲覧許可者に通知することで、より閲覧許可者へのサービスが向上する。
【００５９】
請求項２５に記載の発明は、前記他の閲覧許可者への通知は、ｅ−メールで行なうことを特徴とする請求項２４に記載のホームページの閲覧システムである。
【００６０】
この請求項２５に記載の発明によれば、他の閲覧許可者への通知は、ｅ−メールで簡単かつ確実に行なうことができる。
【００６１】
請求項２６に記載の発明は、前記ｅ−メールには、追加の画像紹介のコメントを付けることを特徴とする請求項２４に記載のホームページの閲覧システムである。
【００６２】
この請求項２６に記載の発明によれば、ｅ−メールに追加の画像紹介のコメントを付けることで、追加の画像を多くの人に知らせることができる。
【００６３】
請求項２７に記載の発明は、前記ｅ−メールには、追加の画像へのリンクを含ませることを特徴とする請求項２４に記載のホームページの閲覧システムである。
【００６４】
この請求項２７に記載の発明によれば、ｅ−メールに追加の画像へのリンクを含ませることで、追加の画像を多くの人に簡単に知らせることができる。
【００６５】
請求項２８に記載の発明は、前記ホームページ管理者は、追加の画像及び／またはコメントの閲覧不能を、追加した閲覧許可者に通知することを特徴とする請求項１７乃至請求項２４のいずれか１項に記載のホームページの閲覧システムである。
【００６６】
この請求項２８に記載の発明によれば、追加の画像及び／またはコメントの閲覧不能を、追加した閲覧許可者に通知することで、よりサービスが向上する。
【００６７】
請求項２９に記載の発明は、請求項１７乃至請求項２８のいずれか１項に記載のホームページの閲覧システムを利用して写真アルバムに掲載された画像のプリント注文システムであって、
写真アルバムの閲覧許可者は所望の画像を指定するだけで注文が許可されることを特徴とするプリント注文システムである。
【００６８】
この請求項２９に記載の発明によれば、写真アルバムの閲覧許可者は所望の画像を指定するだけで所望の画像を簡単に注文できる。
【００６９】
請求項３０に記載の発明は、閲覧許可者の個人情報を登録する際に、プリントの可否を指定することを特徴とする請求項２９に記載のプリント注文システムである。
【００７０】
この請求項３０に記載の発明によれば、プリントして欲しくない等の理由がある閲覧許可者は、画像をプリント不能にすることができる。
【００７１】
請求項３１に記載の発明は、前記ホームページ管理者は、写真アルバムの所定の画像をプリント不能にすることを特徴とする請求項２９または請求項３０に記載のプリント注文システムである。
【００７２】
この請求項３１に記載の発明によれば、ホームページ管理者は、プリントして欲しくない等の理由がある所定の画像をプリント不能にすることができる。
【００７３】
請求項３２に記載の発明は、前記ホームページ管理者は、所定の画像のプリント不能を、閲覧許可者に通知することを特徴とする請求項３１に記載のプリント注文システムである。
【００７４】
この請求項３２に記載の発明によれば、所定の画像のプリント不能を、閲覧許可者に通知することで、より閲覧許可者へのサービスが向上する。
【００７５】
【発明の実施の形態】
以下、この発明のホームページの閲覧方法、プリント注文方法、ホームページの閲覧システム及びプリント注文システムの実施の形態を図面に基づいて説明するが、この発明は、この実施の形態に限定されない。
【００７６】
図１はホームページの閲覧システム及びプリント注文システムの実施の形態をを示す図である。図１において、ネットワーク１に、サーバ２、ユーザ端末３とホームページ管理者端末４が接続され、それぞれネットワーク１を介して通信可能となっている。
【００７７】
ネットワーク１とは、コンピュータ・システム、端未、データ通信設備を相互に接続したものをいう。接続は専用回線、公衆回線のような有線で接続されていても良いし、通信衛星などを通じて無線で接続されていてもよいし、それらの複合形態で接続されていても良い。いわゆるインターネットなどもネットワークに含まれる。
【００７８】
サーバ２とは、ネットワーク１を介して閲覧用画像がアップロードされ、ホームページに掲載する写真アルバムの閲覧用画像、情報等が登録される。
【００７９】
ユーザ端末３は、パーソナルコンピュータ、携帯情報端末（ＰＤＡ）、携帯電話等で文字情報と画像情報の送受信が可能な電子機器端末であればよい。パーソナルコンピュータや携帯情報端末（ＰＤＡ）では、デジタルカメラと接続したり、画像を記録した記録媒体をセットして画像の取り込みを行ない、またスキャナ等から画像の取り込みを行なうことができる。カメラを備える携帯電話では、カメラの撮像で画像の取り込みを行なうことができ、カメラを備えない携帯電話では、他の電子機器からの通信により画像を受信して画像の取り込みを行なうことができる。
【００８０】
ホームページ管理者は、ホームページ管理者端末４からネットワーク１上のサーバ２へ閲覧用画像をアップロードして、ホームページを閲覧するＵＲＬ以外のサイトに写真アルバムを作成すると共に、写真アルバムの閲覧許可者の個人情報を登録する。ホームページに掲載する写真画像はホームページ管理者によって許可された者のみが閲覧でき、安全に簡便な画像付きのホームページの閲覧ができる。
【００８１】
この閲覧許可者の個人情報を登録する際に、画像の追加及び／またはコメントの追加の可否を指定し、写真アルバムに他の人が画像を追加して多くの写真を集めて掲載することができ、複数の人が撮影した画像を容易に写真アルバム化することができる。またプリントの可否を指定し、プリントして欲しくない等の理由がある閲覧許可者は、画像をプリント不能にすることができる。
【００８２】
また、写真アルバムの閲覧許可を受けた者、あるいは写真アルバムの閲覧許可を希望する者が、ユーザ端末３を使用する。
【００８３】
このホームページの閲覧システムでは、図２乃至図６に示すように、ホームページ管理者が画像をアップロードして写真アルバムを作成し、写真アルバムの閲覧許可者を登録する。図２は写真アルバムの作成システムのホームページ画面を示す図、図３は写真アルバムの作成メニューを示す図、図４は写真アルバムを示す図、図５は写真アルバムの作成過程を示す図、図６は写真アルバムの閲覧許可者を登録するフロー、図７は写真アルバムの閲覧許可者のリストを示す図である。
【００８４】
ホームページ管理者が写真アルバムを作成する場合は、ホームページ管理者端末４を用いて、図２に示すオンラインラボのホームページ画面を開くことができる。このホームページ画面には、会員ＩＤ入力欄１０、パスワード入力欄１１、ログインボタン１２、会員登録ボタン１３が設けられている。
【００８５】
ホームページ管理者が会員である場合には、会員ＩＤ入力とパスワード入力し、ログインすると、図３に示す写真アルバムの作成メニューを開くことができる。この写真アルバムのホームページ画面には、ネット上にアップロードされた画像の保管場所のピクチャーボックス２０と、ピクチャーボックス２０の画像を自由に選んで個別に整理できるアルバム編集３０が用意されている。
【００８６】
ピクチャーボックス２０には、画像をピクチャーボックス２０にアップロードするアップロードボタン２１、ピクチャーボックス２０に登録された画像を閲覧、編集する閲覧編集ボタン２２、ピクチャーボックス２０に保管できる容量の増加を行なう容量設定ボタン２３が設けられている。
【００８７】
アルバム編集３０には、タイトル、コメント、表紙を決めて画像を登録してアルバムを新規に作成する新規作成ボタン３１、アルバムの画像を一覧で見たり、拡大表示で見るアルバム閲覧ボタン３２、アルバムのタイトル、コメント、表紙の変更、画像の追加、削除を行なうアルバム編集ボタン３３、写真アルバムの閲覧を許可した者の閲覧許可者リストボタン３４、写真アルバムの登録ボタン３５が設けられている。
【００８８】
この写真アルバムの作成は、新規作成ボタン３１をクリックして図４及び図５に示すように、タイトル、コメント、表紙を決めて画像を登録してアルバムを新規に作成する。図４の写真アルバムの画面には、削除ボタン４ａ、メールボタン４ｂ、印刷ボタン４ｃ、編集ボタン４ｄ等が設けられ、これらの、削除ボタン４ａ、メールボタン４ｂ、印刷ボタン４ｃ、編集ボタン４ｄの操作で写真アルバムの作成が行なわれる。
【００８９】
この写真アルバムの作成では、図５（ａ）に示すように、完成して写真アルバムに画像を追加したり、削除したりすることができる。
【００９０】
また、写真アルバムの作成では、図５（ｂ）に示すように、ホームページ管理者がコメントｃの追加を可能にすることができる。この追加コメントｃは、ホームページ管理者が変更したり、削除したりすることができる。
【００９１】
また、写真アルバムの作成では、図５（ｃ）に示すように、ホームページ管理者は、画像の並び順を、例えば、撮影年月日順、撮影者別等、自由に変えることができる。
【００９２】
また、写真アルバムの作成では、図５（ｄ）に示すように、ホームページ管理者は、画像のサイズを自由に変えることができる。このように、追加の画像及び／またはコメントの編集が可能であり、ホームページ管理者が自由に、削除したり、位置を変えたり、サイズを変えたり等して写真アルバムを作成することができる。
【００９３】
また、写真アルバムの作成では、図５（ｅ）に示すように、ホームページ管理者は、画像の表示、非表示を指定することができ、好ましくない等の理由がある追加の画像及び／またはコメントは、閲覧不能にすることができる。また、追加の画像及び／または追加のコメントに、例えば網掛けで非表示ｅとして閲覧を不能にし、好ましくない等の理由がある追加の画像及び／またはコメントは、閲覧不能にして管理する。
【００９４】
また、写真アルバムの作成では、図５（ｆ）に示すように、例えば「Ｘ」印ｆ１、プリント不可文字ｆ２でプリントの許可、不許可を指定することができ、プリントして欲しくない等の理由がある所定の画像をプリント不能にすることができる。ホームページ管理者は、所定の画像のプリント不能を、閲覧許可者に通知することで、より閲覧許可者へのサービスが向上する。
【００９５】
また、写真アルバムの編集では、図５（ｇ）に示すように、ホームページ管理者は、追加の画像及び／またはコメントの識別表示ｇを行なうことができる。この識別表示ｇは、例えば枠を付けることで行なうことができ、追加した画像及び／またはコメントであることを容易に知らせることができる。
【００９６】
次に、ホームページ管理者が、図３の写真アルバムの作成メニューから図４に示すような写真アルバムを作成し、写真アルバムの閲覧許可者を登録するフローを図６に基づいて説明する。
【００９７】
ホームページ管理者が初めて写真アルバムを作成するには、ホームページ管理者端末４を用いて、図２に示すオンラインラボのホームページ画面を開き、会員登録ボタン１３をクリックしてサーバ使用の会員登録ＩＤ、パスワードの設定を行なうと（Ｓａ１１）、ネットワーク１上のサーバ２では会員登録の受付を行なう（Ｓｂ１１）。
【００９８】
既に会員登録を行っているホームページ管理者は、会員ＩＤ及びパスワードを入力してログオンする。ログオンすると図３の写真アルバムの作成メニューが開き、ユーザのホームページ管理者は、アップロードボタン２１をクリックしてアップロード画面を開き、ネットワーク１上のサーバ２へ閲覧用画像をアップロードし（Ｓａ１２）、サーバ２に保存される（Ｓｂ１２）。
【００９９】
そして、ホームページ管理者は、図３の写真アルバムの作成メニューを開き、閲覧編集ボタン２２、容量設定ボタン２３をクリックしてネット上にアップロードされた画像を編集し、新規作成ボタン３１、アルバム編集ボタン３３等をクリックしてホームページを閲覧するＵＲＬ以外のサイトに、即ちオンラインラボ内で複数の閲覧用画像のレイアウト等を行ない編集して写真アルバムを、例えば図４及び図５に示すように作成し（Ｓａ１３）、サーバ２に保存される（Ｓｂ１３）。
【０１００】
ホームページ管理者は、写真アルバムを作成すると共に、図３の閲覧許可者リストボタン３４をクリックして写真アルバムの閲覧許可者の個人情報のリストを、例えば図７に示すように作成する（Ｓａ１４）。この写真アルバムの閲覧許可者の個人情報のリストには、氏名、氏名のふりがな、郵便番号、住所、電話番号、Ｅ−ｍａｉｌアドレス、続柄、申請者顔写真等が記載される。
【０１０１】
この写真アルバムの閲覧許可者の個人情報のリストは、閲覧許可者を特定可能な個人情報であれば特に限定されず、１つの情報でも、２つ以上の情報でもよい。例えばＥ−ｍａｉｌアドレスが必須であり、Ｅ−ｍａｉｌアドレスと氏名、住所、電話番号等でもよい。
【０１０２】
申請者の顔写真を、ユーザー端末３からアップロードできるようにすると、閲覧を許可するしないの判断がしやすい。このアップロードは、携帯電話等に付属するカメラからアップロードを受け付けることも可能である。また、この申請自体を携帯電話の通信機能を用いて行えるようにし、申請者顔写真は、その携帯電話の撮影機能でアップロードできるようにしてもよい。
【０１０３】
この写真アルバムの閲覧許可者の個人情報のリストは、サーバ２に登録される（Ｓｂ１４）。以上が完了したら、ホームページ管理者は、図３の写真アルバムの登録ボタン３５を押して登録を行う（Ｓａ１５）と、サーバ２は、写真アルバムを閲覧する為のＵＲＬの発行を行う（Ｓｂ１５）。
【０１０４】
ホームページ管理者は、図２に示すように、ホームページ上に写真アルバムＵＲＬのハイパーリンクを施した写真閲覧用のボタンを設置して、ホームページを完成させて公開する（Ｓａ１６）。
【０１０５】
次に、このホームページの閲覧システムでは、図８に示すように、写真アルバムの閲覧許可者のみ閲覧することができる。
【０１０６】
ユーザ端末３から写真アルバムの閲覧希望者は、ホームページへアクセスし（Ｓｆ１１）、図９に示したような目的ページを表示する（Ｓｇ１１）。写真アルバムを閲覧したい場合はユーザ端末３でリンクボタン４１をクリックすることで写真アルバムへアクセスし（Ｓｆ１２）、ネットワーク１上のサーバ２で閲覧者と接続する（Ｓｈ１１）。ホームページから写真アルバムへの誘導は、ホームページ上に写真アルバムへのリンクにより簡単に行なうことができる。
【０１０７】
このように、ホームページ管理者が、自分のホームページ以外に、写真アルバムのサイトを利用していて、自分のホームページから写真アルバムのサイトへのリンクボタン４１が置かれており、リンクボタン及びリンクのＵＲＬは写真アルバムサイトからのダウンロ−ド、またはメ−ル添付書類などでホームページ管理者が入手できることが望ましい。
【０１０８】
サーバ２では、図１０のように写真アルバムの閲覧希望者に個人情報を要求し（Ｓｈ１２）、閲覧許可者がユーザー端末３から個人情報を入力する（Ｓｆ１３）。
【０１０９】
サーバ２では、個人情報を予め登録されている写真アルバムの閲覧許可者の個人情報のリストと照合する（Ｓｈ１３）。個人情報は、例えば氏名、Ｅ−ｍａｉｌアドレス、電話番号のうち少なくとも２つの情報とすることが好ましいが、氏名と住所等としても良い。
【０１１０】
この個人情報の照合で、一致している場合は閲覧許可し、一致していない場合は閲覧許可しないこととする（Ｓｈ１４）。承諾した場合は、閲覧許可者がユーザ端末３で写真アルバムの閲覧が可能となる。
【０１１１】
このように、ホームページ管理者が画像をアップロードし写真アルバムを作成し、写真アルバムの閲覧許可者の個人情報を登録することで、ホームページに掲載する写真画像はホームページ管理者によって許可された者のみが閲覧でき、安全に簡便な画像付きのホームページの閲覧ができる。
【０１１２】
次に、このホームページの閲覧システムでは、図１１及び図１２に示すように、写真アルバムの閲覧許可者ではない者が閲覧許可を受けることができる。図１１は写真アルバムの閲覧許可を受けるフロー、図１２は閲覧許可申請書の表示を示す図である。
【０１１３】
写真アルバムの閲覧許可者ではない者、即ち閲覧許可申請者は、ユーザ端末３から写真アルバムＵＲＬにアクセスし（Ｓｃ１１）、このアクセスは写真アルバムの閲覧許可者ではない者からであるために閲覧不可となり、図１２に示す閲覧許可申請書の表示が行なわれる（Ｓｃ１２）。
【０１１４】
この閲覧許可申請書では、アクセスしたユーザが閲覧許可リストに登録されていないこと、閲覧登録を希望する場合は登録手続きを行なうこと、閲覧許可されると連絡することが記載され、ユーザの氏名、氏名のふりがな、郵便番号、住所、電話番号、Ｅ−ｍａｉｌアドレス、続柄、申請者の顔写真等を記載するようになっている。
【０１１５】
ユーザ端末３から閲覧許可申請者が、閲覧許可申請書にユーザの氏名、氏名のふりがな、郵便番号、住所、電話番号、Ｅ−ｍａｉｌアドレス、続柄、申請者の顔写真等の個人情報を記入して閲覧許可申請を行なう（Ｓｃ１３）。
【０１１６】
この写真アルバムの閲覧許可申請者の個人情報は、閲覧を許可することが可能な者を特定可能な個人情報であれば特に限定されず、１つの情報でも、２つ以上の情報でもよく、サーバ２の写真アルバムの閲覧許可者の個人情報のリストに必要な情報を閲覧許可申請書に記載するようにすることが好ましい。
【０１１７】
この個人情報を用いて閲覧申請を行うと、ネットワーク１上のサーバ２では、閲覧許可申請を仮登録する（Ｓｄ１１）。そして、サーバ２は、閲覧許可申請をホームページ管理者に通知し、承諾の可否を問う（Ｓｄ１２）。
【０１１８】
ホームページ管理者は、閲覧許可申請情報をサーバ２から受信すると（Ｓｅ１１）、閲覧許可申請を承諾するか否かを判断する（Ｓｅ１２）。ホームページ管理者が承諾する場合には、承諾送信をサーバ２へ行ない（Ｓｅ１３）、承諾しない場合には、拒否送信をサーバ２へ行なう（Ｓｅ１４）。
【０１１９】
サーバ２では、承諾送信を受けると図７に示す写真アルバムの閲覧許可者の個人情報のリストに追加し、拒否送信を受けると追加しない（Ｓｄ１３）。そして、閲覧許可申請者に、閲覧を許可した場合には閲覧許可のメール送信を行ない、閲覧を許可しない場合には閲覧不許可のメール送信を行なう（Ｓｄ１４）。
【０１２０】
閲覧許可申請者は、メール受信し（Ｓｃ１４）、閲覧許可のメールで閲覧可能になり、閲覧不許可のメールで閲覧不可能になる（Ｓｃ１５）。
【０１２１】
このように閲覧許可者の個人情報を登録する際に、承諾送信（Ｓｅ１３）で画像の追加及び／またはコメントの追加の可否を指定し、図７に示す写真アルバムの閲覧許可者の個人情報のリストに追加し、この指定した閲覧許可者のみが画像の追加及び／またはコメントの追加が可能であり、写真アルバムに他の人が画像を追加して多くの写真を集めて掲載することができ、複数の人が撮影した画像を容易に写真アルバム化することができる。
【０１２２】
また、プリントの可否を指定し、図７に示す写真アルバムの閲覧許可者の個人情報のリストに追加し、指定した閲覧許可者のみが画像のプリントが可能になり、プリントして欲しくない等の理由がある閲覧許可者は、画像をプリント不能にすることができる。
【０１２３】
ユーザは、ホームページ管理者の承諾を得ることで、簡単に写真アルバムの閲覧許可者となれ、ホームページに掲載する写真画像はホームページ管理者によって許可された者のみが閲覧できる。
【０１２４】
写真アルバムの閲覧許可者が、画像の追加及び／またはコメントの追加すると（Ｓｃ１６）、サーバ２では追加された画像及び／またはコメントを保存し（Ｓｄ１５）、ホームページ管理者に通知する（Ｓｄ１６）。画像の追加及び／またはコメントの追加をホームページ管理者に通知することで、ホームページ管理者が追加した画像やコメントの管理が容易となる。
【０１２５】
ホームページ管理者は、追加の画像及び／または追加のコメントを受信して（Ｓｅ１５）、閲覧の可否を判断して判断結果の送信をサーバ２へ行なう（Ｓｅ１６）。
【０１２６】
この判断結果では、好ましくない等の理由がある追加の画像及び／またはコメントは、閲覧不能にすることができる。また、ホームページ管理者は、画像及び／またはコメントの追加を他の閲覧許可者に、図４のメールボタン４ｂのクリックしてｅ−メールによって通知し、より閲覧許可者へのサービスが向上する。
【０１２７】
この他の閲覧許可者への通知は、ｅ−メールで行なうことで、他の閲覧許可者への通知を簡単かつ確実に行なうことができる。
【０１２８】
このｅ−メールには、追加の画像紹介のコメントを付けることができ、ｅ−メールに追加の画像紹介のコメントを付けることで、追加の画像を多くの人に知らせることができる。また、ｅ−メールには、追加の画像へのリンクを含ませることができ、ｅ−メールに追加の画像へのリンクを含ませることで、追加の画像を多くの人に簡単に知らせることができる。
【０１２９】
また、ホームページ管理者は、追加の画像及び／またはコメントの閲覧不能を、追加した閲覧許可者に通知する。
【０１３０】
次に、プリント注文方法及びプリント注文システムを、図１３に基づいて説明する。図１３はプリント注文のフローである。
【０１３１】
この実施の形態は、ホームページの閲覧方法及びシステムを利用して写真アルバムに掲載された画像のプリントを注文する方法及びシステムであり、閲覧許可者がユーザー端末３で写真アルバム図４の閲覧を行ない（Ｓｉ１１）、プリントしたい画像を選択し、サイズ、プリント枚数を入力して送信すると（Ｓｉ１２）、ネットワーク１上のサーバ２で注文内容を受信する（Ｓｊ１１）。
【０１３２】
このステップＳｉ１２において、気にいった写真を選択し、サイズ、プリント枚数を入力して送信するときに、プリントの受け取りを自宅配達、あるいは例えば写真取り次ぎ店、コンビニエンスストア等受取場所を指定してもよい。
【０１３３】
サーバ２では、注文内容、金額、個人情報（氏名、住所等）の確認票を閲覧許可者のユーザー端末３に送信する（Ｓｊ１２）。閲覧許可者の個人情報を登録する際に、プリントの可否を指定し、サーバ２では、プリントが許可された閲覧許可者からの注文を受け付けており、プリントして欲しくない等の理由がある閲覧許可者は、画像をプリント不能にすることができる。
【０１３４】
閲覧許可者のユーザ端末３では、確認票を受信し（Ｓｉ１３）、注文内容通りであるとプリントの注文が終了するが（Ｓｉ１４）、注文内容が異なった場合や後に変更したい場合には修正を行ない（Ｓｉ１５）、ステップ（Ｓｉ１２）ヘ移行して再度送信する。
【０１３５】
サーバ２では、注文受付が完了すると（Ｓｊ１３）、プリント工程へ移行する（Ｓｊ１４）。
【０１３６】
このように、ホームページの閲覧方法及びシステムを利用して写真アルバムに掲載された画像のプリントを注文する場合に、写真アルバムの閲覧許可者は所望の画像を指定するだけで所望の画像を簡単に注文できる。
【０１３７】
即ち、いわゆるＷｅｂページの作成には、静的ページ（絵や文章が固定されていて、予め作りおきしてあるもの）と、動的ページ（絵や文章のデータが、閲覧者のリクエストを受けてから生成・転送されるもの）の２種類があるが、オンラインラボのようなＷｅｂページでは、ユーザのリクエストに応じて、データベースから写真をサーチし、必要な加工に施してからデータを転送するため、ここで言う動的ページになっているが、この場合、ユーザ数に応じて予め静的ページを作り置きするよりも、サーバの容量は少なくて済む反面、ユーザの端末で表示されるまでにサーチや加工のための時間がかかってしまうという欠点がある。
【０１３８】
然し、閲覧許可の対象となる写真アルバムは、多数の人がアクセスしてくることが予め想定できるため、これを静的ページとして作り置きしておき、多数のアクセスがきた時にも快適にプリント注文が受けられるようにでき、便利である。
【０１３９】
【発明の効果】
前記したように、請求項１及び請求項１７に記載の発明では、ホームページ管理者が写真アルバムを作成し、写真アルバムの閲覧許可者の個人情報を登録することで、ホームページに掲載する写真画像はホームページ管理者によって許可された者のみが閲覧でき、安全に簡便な画像付きのホームページの閲覧ができ、しかも画像の追加及び／またはコメントの追加の可否を指定することで、写真アルバムに他の人が画像を追加して多くの写真を集めて掲載することができ、複数の人が撮影した画像を容易に写真アルバム化することができる。
【０１４０】
請求項２及び請求項１８に記載の発明では、リンクボタン及びリンクのＵＲＬは写真アルバムサイトからのダウンロ−ド、またはメ−ル添付書類などでホームページ管理者が入手できることが望ましく、ホームページ管理者が、自分のホームページ以外に、写真アルバムのサイトを利用していて、自分のホームページから写真アルバムのサイトへのリンクができる。
【０１４１】
請求項３及び請求項１９に記載の発明では、閲覧許可者は、画像の追加及び／またはコメントの追加をホームページ管理者に通知することで、ホームページ管理者が追加した画像やコメントの管理が容易となる。
【０１４２】
請求項４及び請求項２０に記載の発明では、追加の画像及び／またはコメントの編集が可能であり、ホームページ管理者が自由に、削除したり、位置を変えたり、サイズを変えたり等して写真アルバムを作成することができる。
【０１４３】
請求項５及び請求項２１に記載の発明では、画像の撮影年月日順、または撮影者別順、また自由に並び変えることで、好みに応じた写真アルバムを作成することができる。
【０１４４】
請求項６及び請求項２２に記載の発明では、追加の画像及び／またはコメントの識別表示を行なうことで、追加した画像及び／またはコメントであることを容易に知らせることができる。
【０１４５】
請求項７及び請求項２３に記載の発明では、好ましくない等の理由がある追加の画像及び／またはコメントは、閲覧不能にすることができる。
【０１４６】
請求項８及び請求項２４に記載の発明では、画像及び／またはコメントの追加を他の閲覧許可者に通知することで、より閲覧許可者へのサービスが向上する。
【０１４７】
請求項９及び請求項２５に記載の発明では、他の閲覧許可者への通知は、ｅ−メールで簡単かつ確実に行なうことができる。
【０１４８】
請求項１０及び請求項２６に記載の発明では、ｅ−メールに追加の画像紹介のコメントを付けることで、追加の画像を多くの人に知らせることができる。
【０１４９】
請求項１１及び請求項２７に記載の発明では、ｅ−メールに追加の画像へのリンクを含ませることで、追加の画像を多くの人に簡単に知らせることができる。
【０１５０】
請求項１２及び請求項２８に記載の発明では、追加の画像及び／またはコメントの閲覧不能を、追加した閲覧許可者に通知することで、よりサービスが向上する。
【０１５１】
請求項１３及び請求項２９に記載の発明では、写真アルバムの閲覧許可者は所望の画像を指定するだけで所望の画像を簡単に注文できる。
【０１５２】
請求項１４及び請求項３０に記載の発明では、プリントして欲しくない等の理由がある閲覧許可者は、画像をプリント不能にすることができる。
【０１５３】
請求項１５及び請求項３１に記載の発明では，ホームページ管理者は、プリントして欲しくない等の理由がある所定の画像をプリント不能にすることができる。
【０１５４】
請求項１６及び請求項３２に記載の発明では、所定の画像のプリント不能を、閲覧許可者に通知することで、より閲覧許可者へのサービスが向上する。
【図面の簡単な説明】
【図１】ホームページの閲覧システム及びプリント注文システムの実施の形態をを示す図である。
【図２】写真アルバムの作成システムのホームページ画面を示す図である。
【図３】写真アルバムの作成メニューを示す図である。
【図４】写真アルバムを示す図である。
【図５】写真アルバムの作成過程を示す図である。
【図６】写真アルバムの閲覧許可者を登録するフローである。
【図７】写真アルバムの閲覧許可者のリストを示す図である。
【図８】写真アルバムの閲覧許可者の写真アルバム閲覧フローである。
【図９】ホームページ画面を示す図である。
【図１０】個人情報入力画面を示す図である。
【図１１】写真アルバムの閲覧許可を受けるフローである。
【図１２】閲覧許可申請書の表示を示す図である。
【図１３】プリント注文のフローである。
【符号の説明】
１  ネットワーク
２  サーバ
３  ユーザ端末
４  ホームページ管理者端末
【図１】
2004318550.tif 000003
【図２】
2004318550.tif 000004
【図３】
2004318550.tif 000005
【図４】
2004318550.tif 000006
【図５】
2004318550.tif 000007
【図６】
2004318550.tif 000008
【図７】
2004318550.tif 000009
【図８】
2004318550.tif 000010
【図９】
2004318550.tif 000011
【図１０】
2004318550.tif 000012
【図１１】
2004318550.tif 000013
【図１２】
2004318550.tif 000014
【図１３】
2004318550.tif 000015